(57)【要約】      （修正有）【課題】一般的なルームエアコンへの取り付けが容易であると共に、取り外した際にルームエアコンの外観に取り付け跡を残しにくい、ルームエアコンの外観を変更するためのルームエアコン化粧具を提供する。【解決手段】ルームエアコン化粧具１は、ルームエアコンＲＡのフロントパネルＦＰ表面に重なる第１本体１ＡとフロントパネルＦＰの裏面側に配置される第２本体１Ｂとを備え、第１本体１ＡにはフロントパネルＦＰの表面の大部分を覆い表面２１に意匠が施された化粧カバー２または別体の取替化粧カバーの支持用のフレームを有し、第２本体１Ｂには、第１本体１ＡからフロントパネルＦＰ裏面側まで延びる平たく柔軟な一対の第１，第２裏側ベルト３，４と、第１または第２裏側ベルト３，４の裏面に接合されると共にフロントパネルＦＰの裏面に密着する少なくとも１つの浮き止め５と、を有する。【選択図】図１
0003214328.tif 000002
【実用新案登録請求の範囲】
【請求項１】
ルームエアコンのフロントパネルに取り付けて使用するルームエアコン化粧具であって、
前記フロントパネルに取り付けた場合に、当該フロントパネルの表面側に配置され、少なくとも当該フロントパネル表面の上側の稜線周辺領域，下側の稜線周辺領域にそれぞれ重なる第１周縁部，第２周縁部を含む第１本体と、
前記第１本体に連結し、前記フロントパネルに取り付けた場合に、当該第１本体に連結する側の一部を除き当該フロントパネルの裏面側に配置される第２本体と、を備え、
前記第１本体は、前記フロントパネルに取り付けた場合に、当該フロントパネルの表面の大部分を覆う表面に意匠が施された板状の化粧カバー、または別体の当該フロントパネルの表面の大部分を覆うことが可能なサイズの面に意匠が施された板状の取替化粧カバーに対して上下方向から着脱自在に支持可能な一対のフレームを有し、
前記第２本体は、平たく柔軟な素材で形成されて、それぞれ、一端部分が前記第１本体の前記第１周縁部，前記第２周縁部の少なくとも一部と連結し、前記フロントパネルに取り付けた場合に、当該連結している部分から当該フロントパネルの上下方向の近傍を通り当該フロントパネルの裏面側まで延びる少なくも一対の第１裏側ベルト，第２裏側ベルトと、当該第１裏側ベルトまたは当該第２裏側ベルトの裏面に接合されると共に当該フロントパネルに取り付けた場合に当該フロントパネルの裏面に密着する少なくとも１つの浮き止めと、を有するルームエアコン化粧具。
【請求項２】
前記浮き止めは、厚み方向に分離可能で、前記第１裏側ベルトまたは前記第２裏側ベルトの裏面に接合されていない側の面を前記フロントパネルの裏面に貼り付け可能な面ファスナである請求項１に記載のルームエアコン化粧具。
【請求項３】
前記第２本体は、連結後の全長を変更可能に前記第１裏側ベルトと前記第２裏側ベルトとを連結する裏側締結具をさらに有する請求項１または２に記載のルームエアコン化粧具。
【請求項４】
前記第１本体は、前記第１周縁部および前記第２周縁部に形成された第１連結部を有し、
前記第２本体は、前記第１裏側ベルトおよび前記第２裏側ベルトに形成されて、前記第１連結部と分離可能に連結する第２連結部を有する請求項１ないし３のいずれか一項に記載のルームエアコン化粧具。
【請求項５】
前記第１本体は、前記一対のフレームとして、前記第１周縁部および前記取替化粧カバーの一方の縁をスライド自在にはめ込み可能な第１の溝を含む第１フレームと、前記第２周縁部および当該取替化粧カバーの他方の縁をスライド自在にはめ込み可能な第２の溝を含む第２フレームと、一端部分が当該第１フレームに接続し他端部分が当該第２フレームに接続するフレーム接続部と、を有する請求項１ないし４のいずれか一項に記載のルームエアコン化粧具。
【請求項６】
前記フレーム接続部は、前記第１フレームと前記第２フレームとの間の距離を変更可能に構成される請求項５に記載のルームエアコン化粧具。
【請求項７】
前記フレーム接続部は、平たく柔軟な素材で形成される少なくも一対の前記一端部分を含む第１表側ベルトおよび前記他端部分を含む第２表側ベルトと、連結後の全長を変更可能に当該第１表側ベルトと当該第２表側ベルトとを連結する表側締結具と、を含む請求項６に記載のルームエアコン化粧具。
【請求項８】
前記フレーム接続部は、互いに重ね合わせられる少なくとも一対の剛性板状のプレートを含み、一方のプレートに対して他方のプレートを直線移動または回転移動させて重ね合わせ量または角度を変更することで前記第１フレームと前記第２フレームとの距離を変更する請求項６に記載のルームエアコン化粧具。
【請求項９】
請求項５ないし８のいずれか一項に記載のルームエアコン化粧具と、
前記取替化粧カバーと、を備えるルームエアコン化粧キット。
【考案の詳細な説明】
【技術分野】
【０００１】
本考案は、ルームエアコンの外観を変更するために、ルームエアコンに取り付けて使用するルームエアコン化粧具、およびルームエアコン化粧具を備えるルームエアコン化粧キットに関する。
【背景技術】
【０００２】
近年、インテリアデザインへの意識が高まっており、ルームエアコンの外観をカスタマイズしたいという要求がある。このような要求に応えるものとして、特許文献１には、意匠が施されたプレートを、フロントパネルに着脱可能としたルームエアコンが開示されている。また、特許文献２では、ルームエアコンのフロントパネルの表面に面ファスナを介して取り外し可能に貼り付けるルームエアコン用カバーが開示されているが、このルームエアコン用カバーに意匠を施すことも、このような要求に応える方法として考えられる。
【先行技術文献】
【特許文献】
【０００３】
【特許文献１】実用新案登録第３０５８３７５号公報
【特許文献２】実用新案登録第３０９３０１５号公報
【考案の概要】
【考案が解決しようとする課題】
【０００４】
しかしながら、特許文献１のルームエアコンは、ルームエアコンのフロントパネルにプレートを着脱可能に保持する部分が形成されており、一般的なルームエアコンではない。このため、特許文献１の記載では、一般的なルームエアコンの外観をカスタマイズしたいという要求に対応できない。
【０００５】
また、特許文献２に記載のルームエアコン用カバーの取り付けは、ルームエアコンのフロントパネルの表面に貼り付けられた面ファスナを介して行われる。このため、このルームエアコン用カバーを取り外した場合には、フロントパネルの表面に面ファスナが露出してしまい外観上好ましくない。なお、フロントパネルの表面に面ファスナで取り付ける方法だと、軽いシート状のカバーであればよいが、多少重いプレート状のカバーだと保持力不足による落下が心配である。
【０００６】
本考案は、かかる課題に鑑みてなされたものであり、一般的なルームエアコンへの取り付けが容易であると共に、取り外した際にルームエアコンの外観に取り付け跡を残しにくい、ルームエアコンの外観を変更するためのルームエアコン化粧具を提供することを主目的とする。
【課題を解決するための手段】
【０００７】
上記課題を解決すべく、第１観点のルームエアコン化粧具は、ルームエアコンのフロントパネルに取り付けて使用するルームエアコン化粧具であって、フロントパネルに取り付けた場合に、フロントパネルの表面側に配置され、少なくともフロントパネル表面の上側の稜線周辺領域，下側の稜線周辺領域にそれぞれ重なる第１周縁部，第２周縁部を含む第１本体を備える。また、このルームエアコン化粧具は、第１本体に連結し、フロントパネルに取り付けた場合に、第１本体に連結する側の一部を除きフロントパネルの裏面側に配置される第２本体を備える。また、このルームエアコン化粧具の第１本体は、フロントパネルに取り付けた場合に、フロントパネルの表面の大部分を覆う表面に意匠が施された板状の化粧カバー、または別体のフロントパネルの表面の大部分を覆うことが可能なサイズの面に意匠が施された板状の取替化粧カバーに対して上下方向から着脱自在に支持可能な一対のフレームを有する。また、このルームエアコン化粧具の第２本体は、平たく柔軟な素材で形成されて、それぞれ、一端部分が第１本体の第１周縁部，第２周縁部の少なくとも一部と連結し、フロントパネルに取り付けた場合に、連結している部分からフロントパネルの上下方向の近傍を通りフロントパネルの裏面側まで延びる少なくも一対の第１裏側ベルト，第２裏側ベルトと、第１裏側ベルトまたは第２裏側ベルトの裏面に接合されると共にフロントパネルに取り付けた場合にフロントパネルの裏面に密着する少なくとも１つの浮き止めと、を有する。
【０００８】
また、第２観点のルームエアコン化粧具は、第１観点のルームエアコン化粧具であって、浮き止めが厚み方向に分離可能で第１裏側ベルトまたは第２裏側ベルトの裏面に接合されていない側の面をフロントパネルの裏面に貼り付け可能な面ファスナである。
【０００９】
また、第３観点のルームエアコン化粧具は、第１または第２観点のルームエアコン化粧具であって、第２本体が連結後の全長を変更可能に第１裏側ベルトと第２裏側ベルトとを連結する裏側締結具をさらに有する。
【００１０】
また、第４観点のルームエアコン化粧具は、第１〜第３観点のいずれかのルームエアコン化粧具であって、第１本体が第１周縁部および第２周縁部に形成された第１連結部を有し、第２本体が第１裏側ベルトおよび第２裏側ベルトに形成され第１連結部と分離可能に連結する第２連結部を有する。
【００１１】
また、第５観点のルームエアコン化粧具は、第１〜第４観点のいずれかのルームエアコン化粧具であって、第１本体が、一対のフレームとして、第１周縁部および取替化粧カバーの一方の縁をスライド自在にはめ込み可能な第１の溝を含む第１フレームと、第２周縁部および取替化粧カバーの他方の縁をスライド自在にはめ込み可能な第２の溝を含む第２フレームと、一端部分が第１フレームに接続し他端部分が第２フレームに接続するフレーム接続部と、を有する。
【００１２】
また、第６観点のルームエアコン化粧具は、第５観点のルームエアコン化粧具であって、フレーム接続部が第１フレームと第２フレームとの間の距離を変更可能に構成される。
【００１３】
また、第７観点のルームエアコン化粧具は、第６観点のルームエアコン化粧具であって、フレーム接続部が、平たく柔軟な素材で形成される少なくも一対の一端部分を含む第１表側ベルトおよび他端部分を含む第２表側ベルトと、連結後の全長を変更可能に第１表側ベルトと第２表側ベルトとを連結する表側締結具とを含む。
【００１４】
また、第８観点のルームエアコン化粧具は、第６観点のルームエアコン化粧具であって、フレーム接続部が、互いに重ね合わせられる少なくとも一対の剛性板状のプレートを含み、一方のプレートに対して他方のプレートを直線移動または回転移動させて重ね合わせ量または角度を変更することで第１フレームと第２フレームとの距離を変更する。
【００１５】
また、第９観点のルームエアコン化粧キットは、第５〜第８観点のいずれかのルームエアコン化粧具と、前記取替化粧カバーとを備える。
【考案の効果】
【００１６】
第１観点によれば、このルームエアコン化粧具は、ルームエアコンのフロントパネルに取り付けて使用する。このルームエアコン化粧具は、フロントパネルに取り付けた場合に、フロントパネルの表面の大部分を覆う表面に意匠が施された化粧カバー、または別体のフロントパネルの表面の大部分を覆うことが可能なサイズの面に意匠が施された取替化粧カバーに対して着脱自在に支持可能な一対のフレームを有する第１本体を備えている。これにより、このルームエアコン化粧具は、化粧カバーまたは取替化粧カバーでルームエアコンの外観を変更可能である。また、このルームエアコン化粧具は、平たく柔軟な素材で形成され、第１本体の第１周縁部，第２周縁部からそれぞれ延びる少なくも一対の第１裏側ベルト，第２裏側ベルトを有する第２本体を備えている。この一対の第１裏側ベルト，第２裏側ベルトは、平たく柔軟なため、通常のルームエアコンに見られるフロントパネルの上下方向の近傍におけるフロントパネル裏面側に繋がるわずかな隙間を通り、フロントパネルの裏面側に回り込むことが可能である。そして、このルームエアコン化粧具は、第２本体が第１裏側ベルトまたは第２裏側ベルトの裏面に接合されると共にフロントパネルに取り付けた場合にフロントパネルの裏面に密着する浮き止めを有している。これにより、このルームエアコン化粧具は、第２本体が浮き止めによって浮かないようにしてフロントパネルの裏面に固定され、ルームエアコンに容易に取り付けられる。また、このルームエアコン化粧具は、フロントパネルの表面に第１本体を貼り付けないため、フロントパネルの表面側に取り付け跡を残さない。したがって、第１観点によれば、一般的なルームエアコンへの取り付けが容易であると共に取り外した際にルームエアコンの外観に取り付け跡を残しにくい、ルームエアコンの外観を変更するためのルームエアコン化粧具を提供できる。
【００１７】
また、第２観点によれば、このルームエアコン化粧具は、浮き止めが厚み方向に分離可能な面ファスナである。この浮き止めの面ファスナは、分離した一方が第１裏ベルトまたは第２裏ベルトに接合され、他方がルームエアコンのフロントパネルの裏面に貼り付けられる。これにより、このルームエアコン化粧具は、面ファスナを分離させることでルームエアコンへの着脱が可能になる。したがって、第２観点によれば、ルームエアコンへの着脱が容易なルームエアコン化粧具を提供できる。
【００１８】
また、第３観点によれば、このルームエアコン化粧具は、第１裏側ベルトと第２裏側ベルトとを連結後の全長を変更可能に連結する裏側締結具を有している。このルームエアコン化粧具は、フロントパネルに取り付けられる際に、裏面側に回された第１裏側ベルトと第２裏側ベルトとが長さ調節されて裏側締結具で連結される。これにより、このルームエアコン化粧具は、第１本体および第２本体でフロントパネルを上下方向に囲い締め付けられて、しっかり固定される。したがって、第３観点によれば、ルームエアコンへ取り付けた際の落下の心配が少ないルームエアコン化粧具を提供できる。
【００１９】
また、第４観点によれば、このルームエアコン化粧具は、第１本体に形成された第１連結部と第２本体に形成されて第１連結部と分離可能に連結する第２連結部を有している。これにより、第１本体と第２本体とは分離可能に構成されている。したがって、第４観点によれば、意匠効果の高い第１本体を着脱可能なルームエアコン化粧具を提供できる。
【００２０】
また、第５観点によれば、このルームエアコン化粧具は、第１本体が一対のフレームで別体の取替化粧カバーを支持するタイプ（以下「化粧カバー取替式タイプ」と記載する。）である。このルームエアコン化粧具の第１本体は、第１フレームの第１の溝および第２フレームの第２の溝にスライド自在にはめ込むことで、取替化粧カバーを支持可能に構成されている。これにより、このルームエアコン化粧具は、取替化粧カバーを着脱しやすい。したがって、第５観点によれば、取替化粧カバーの取替が容易な化粧カバー取替式タイプのルームエアコン化粧具を提供できる。
【００２１】
また、第６観点によれば、この化粧カバー取替式タイプのルームエアコン化粧具は、フレーム接続部が第１フレームと第２フレームとの間の距離を変更可能であるため、さまざまなサイズの取替化粧カバーに対応可能である。したがって、第６観点によれば、多種のルームエアコンに対応可能な化粧カバー取替式タイプのルームエアコン化粧具を提供できる。
【００２２】
また、第７観点によれば、この化粧カバー取替式タイプのルームエアコン化粧具は、第１表側ベルトと第２表側ベルトとを表側締結具で長さ調整可能に連結させてフレーム接続部を構成している。第１表側ベルトおよび第２表側ベルトは平たく柔軟な素材で形成されているため、このルームエアコン化粧具は、ルームエアコンに取り付けていないときにたたむことが可能である。したがって、第７観点によれば、多種のルームエアコンに対応可能であると共に、持ち運びや収納に優れる化粧カバー取替式タイプのルームエアコン化粧具を提供できる。
【００２３】
また、第８観点によれば、この化粧カバー取替式タイプのルームエアコン化粧具は、少なくとも一対の板状のプレートによって、第１フレームと第２フレームと間の距離を変更可能なフレーム接続部を構成している。これにより、このルームエアコン化粧具は、ルームエアコンに取り付ける前に第１フレームに対して第２フレームの位置がしっかり定まる。このため、このルームエアコン化粧具は、ルームエアコンに取り付ける際の第１本体の位置決めがしやすい。したがって、第８観点によれば、多種のルームエアコンに対応可能であると共に、ルームエアコンに取り付けやすい化粧カバー取替式タイプのルームエアコン化粧具を提供できる。
【００２４】
また、第９観点によれば、このルームエアコン化粧キットは、化粧カバー取替式タイプのルームエアコン化粧具と取替化粧カバーとがセットになったキットである。したがって、第９観点によれば、化粧カバー取替式タイプで取替化粧カバーの交換が可能であって、別途取替化粧カバーを準備しなくても、一般的なルームエアコンの外観を変更可能なルームエアコン化粧キットを提供できる。
【図面の簡単な説明】
【００２５】
【図１】第１実施形態のルームエアコン化粧具１の斜視図であり、（ａ）が表面側から見た場合、（ｂ）が裏面側から見た場合の斜視図である。
【図２】第１実施形態のルームエアコン化粧具１をルームエアコンＲＡに取り付けた状態の縦断面図である。
【図３】第１実施形態のルームエアコン化粧具１のルームエアコンＲＡへの取り付け作業のフローチャートである。
【図４】第１本体と第２本体との連結部分の変形例を示す斜視図である。
【図５】第２実施形態のルームエアコン化粧キット１００の斜視図である。
【図６】第２実施形態のルームエアコン化粧キット１００をルームエアコンＲＡに取り付けた状態の縦断面図である。
【図７】第２実施形態のルームエアコン化粧キット１００のルームエアコンＲＡへの取り付け作業のフローチャートである。
【図８】フレーム接続部の変形例を示す説明図であり、（ａ）が直線移動するタイプ、（ｂ）が回転移動するタイプの説明図である。
【図９】ルームエアコンの一例を示す斜視図であり、（ａ）がフロントパネルＦＰを閉じた状態、（ｂ）がフロントパネルＦＰを開いた状態の斜視図である。
【考案を実施するための形態】
【００２６】
本発明に係るルームエアコン化粧具を説明する前に、まず、取り付け対象である一般的なタイプのルームエアコン（本明細書において、「ルームエアコン」の記載は、ルームエアコンの室内機を意味するものとする。）について、簡単に説明する。図９に示すように、一般的なタイプのルームエアコンＲＡは、内部機構Ｍと、外観を構成するために内部機構Ｍを覆うトップパネルＴＰ、フロントパネルＦＰ、アンダーパネルＵＰ、送風口パネルＷＰ、およびサイドパネルＳＰといったパネル類とを備えている。ルームエアコンＲＡは、部屋の壁の高い位置に設置され、トップパネルＴＰやフロントパネルＦＰ側からエアーを取り込み、取り込んだエアーを調整して送風口パネルＷＰ側から吹き出させて、部屋の温度等を調整する。
【００２７】
ルームエアコンＲＡは、多くのルームエアコンと同様、パネル類が白色で表面の凹凸が少ないシンプルなデザインで、設置後に目につく正面の多くの面積をフロントパネルＦＰが占めている。ルームエアコンＲＡは、送風時に送付口パネルＷＰが自動で可動する（不図示）。また、ルームエアコンＲＡは、多くのルームエアコンと同様、フロントパネルＦＰが上下方向よりも左右方向に広がるように形成されている。また、ルームエアコンＲＡは、内部機構Ｍをメンテナンスするために、フロントパネルＦＰが上側を支点に図９（ｂ）に示すように開くよう構成されている。なお、ルームエアコンＲＡは、フロントパネルＦＰとトップパネルＴＰとの間，フロントパネルＦＰとアンダーパネルＵＰまたは送風口パネルＷＰとの間に、それぞれ、わずかの隙間Ｇ１，Ｇ２が設けられている。また、近年のルームエアコンは、フロントパネルが下側を支点に開閉するものやエアーを取り込むために自動で開閉するように構成されているものもある。また、図９（ａ）等において、フロントパネルＦＰ表面にＥ１，Ｅ２の符号付の矢印で示す先は、特に仕切られた領域ではないが、それぞれ、フロントパネルＦＰの上側の稜線近傍の領域（上側の稜線周辺領域）Ｅ１，下側の稜線近傍の領域（下側の稜線周辺領域）Ｅ２である。
【００２８】
次に、図面を参照して本考案の一実施形態であるルームエアコン化粧具１を第１実施形態で、ルームエアコン化粧具１０１を有するルームエアコン化粧キット１００を第２実施形態で説明するが、本考案は、これらの実施形態に限定されない。また、以下の説明において、ルームエアコン化粧具１およびルームエアコン化粧キット１００に関して、縦方向がフロントパネルＦＰの上下方向に対応する方向、横方向がフロントパネルＦＰの左右方向に対応する方向である。
【００２９】
＜第１実施形態＞
図１に示す第１実施形態のルームエアコン化粧具１は、ルームエアコンＲＡのフロントパネルＦＰに、このフロントパネルＦＰの表面を覆うように取り付けられ（矢印Ｄ１参照）、ルームエアコンＲＡの外観イメージを変更させるものである。ルームエアコン化粧具１は、フロントパネルＦＰに取り付けた場合（以下「使用時」と記載する。）に、フロントパネルＦＰの表面側に配置される第１本体１Ａと、一部を除きフロントパネルＦＰの裏面側に配置される第２本体１Ｂとを備えている。
【００３０】
第１本体１Ａは、使用時にフロントパネルＦＰの表面に重なる化粧カバー２からなる。なお、本実施形態のルームエアコン化粧具１は、ルームエアコンＲＡの外観イメージを決定づける化粧カバー２が一体の、いわゆる化粧カバー固定式タイプである。
【００３１】
化粧カバー２は、樹脂製の薄板状で、縦方向よりも横方向に大きく広がる略矩形をしている。化粧カバー２は、フロントパネルＦＰの表面に倣う形状で、フロントパネルＦＰの表面を覆うサイズで形成されている。化粧カバー２は、表面２１に意匠が印刷されている。化粧カバー２は、裏面２２に、横方向に延びる一方の稜線近傍の第１周縁部２２ａおよび横方向に延びる他方の稜線近傍の第２周縁部２２ｂを含む。化粧カバー２は、使用時に、第１周縁部２２ａ，第２周縁部２２ｂが、それぞれフロントパネルＦＰの上側の稜線周辺領域Ｅ１，下側の稜線周辺領域Ｅ２に重なる。
【００３２】
第２本体１Ｂは、第１本体１Ａの化粧カバー２に連結する対の第１裏側ベルト３，第２裏側ベルト４と、第１裏側ベルト３の裏面３２に接合される浮き止め５と、第２裏側ベルト４の端部に連結する裏側締結具６とを有している。
【００３３】
第１裏側ベルト３および第２裏側ベルト４は、ゴムシート，ビニールシート，布，革等の平たく柔軟な素材で形成されており、縦方向外側に向かって延びている。第１裏側ベルト３，第２裏側ベルト４は、それぞれ根本の端部分３３，４３が化粧カバー２における第１周縁部２２ａ，第２周縁部２２ｂに固着されることで、第１本体１Ａと連結している。第１裏側ベルト３と第２裏側ベルト４とは、横方向の位置が同じであるものが対で、化粧カバー２の横方向の端部に近い左右２箇所に固着されている。第１裏側ベルト３および第２裏側ベルト４は、フロントパネルＦＰに取り付けた場合に、連結している部分からフロントパネルＦＰの上下方向近傍の隙間Ｇ１，Ｇ２を通してフロントパネルＦＰの裏面側まで導けるように長尺に形成されている（図２参照）。
【００３４】
浮き止め５は、厚み方向に分離可能な面ファスナであり、一方の面が第１裏側ベルト３の裏面３２の中央部に接合されている。また、浮き止め５は、他方の面に粘着テープが形成されている。浮き止め５は、使用時にフロントパネルＦＰの裏面に対し、この粘着テープで貼り付けられて密着可能である（図２参照）。
【００３５】
裏側締結具６は、矩形枠状の枠体６ａと、枠体６ａの中央を横方向に橋渡しする円柱状の軸体６ｂと、環状の環体６ｃとを有する、いわゆるバックルである。裏側締結具６は、環体６ｃに第２裏側ベルト４を通したたうえで、軸体６ｂに第２裏側ベルト４の先端部分を巻き付けることで、第２裏側ベルト４と連結している。裏側締結具６は、使用時に第１裏側ベルト３を先端から通すことで、第１裏側ベルト３と第２裏側ベルト４とを連結可能である（図２参照）。また、裏側締結具６は、第１裏側ベルト３を通す量を変更することで、第１裏側ベルト３と第２裏側ベルト４との連結後の長さを変更可能である（図２参照）。
【００３６】
続いて、図２を用いて、ルームエアコン化粧具１の使用時の状態を説明する。ルームエアコン化粧具１は、ルームエアコンＲＡのフロントパネルＦＰに対し、化粧カバー２がフロントパネルＦＰの表面全体を覆うように重ね合わされている。化粧カバー２の第１周縁部２２ａ，第２周縁部２２ｂは、それぞれ、フロントパネルＦＰ表面の上側の稜線周辺領域Ｅ１，下側の稜線周辺領域Ｅ２に重なっている。第１裏側ベルト３は、フロントパネルＦＰの表面側に位置する根本の端部分３３からフロントパネルＦＰとトップパネルＴＰとの間の隙間Ｇ１を通されてフロントパネルＦＰの裏面に沿わされている。第２裏側ベルト４は、フロントパネルＦＰの表面側に位置する根本の端部分４３からフロントパネルＦＰと送風口パネルＷＰとの間の隙間Ｇ２を通されてフロントパネルＦＰの裏面に沿わされている。第１裏側ベルト３と第２裏側ベルト４とは、第２裏側ベルト４の先端に連結する裏側締結具６によって連結している。具体的には、第１裏側ベルト３は、裏側締結具６の枠体６ａと軸体６ｂとの間に通された後、環体６ｃの内側を通されている。また、第１裏側ベルト３は、裏面３２の先端側が第２裏側ベルト４の表面４１の一部と接するようにして重なっている。第１裏側ベルト３と第２裏側ベルト４とが連結することにより、ルームエアコン化粧具１は、第１本体１Ａと第２本体１ＢとでフロントパネルＦＰを上下方向に取り囲む。また、ルームエアコン化粧具１は、浮き止め５がフロントパネルＦＰ裏面の任意の貼付領域Ｅ３に貼り付けられると共に第１裏側ベルト３と第２裏側ベルト４との連結長さが調整されてフロントパネルＦＰを締め付けるように固定されているため、ガタつきなく取り付けられている。なお、ルームエアコン化粧具１は、浮き止め５がフロントパネルＦＰに貼り付けられていることで第２本体１Ｂがフロントパネル側に寄せられるため、ルームエアコンＲＡの内部機構Ｍと接触しにくくなっている。
【００３７】
続いて、図３を用いて、ルームエアコン化粧具１のルームエアコンＲＡへの取り付け作業について説明する。ルームエアコン化粧具１をルームエアコンＲＡに取り付けるためには、まず、フロントパネルＦＰを開く（ＳＴ１）。次に、化粧カバー２を、第１周縁部２２ａ，第２周縁部２２ｂがフロントパネルＦＰの稜線周辺領域Ｅ１，下側の稜線周辺領域Ｅ２に重なるようにして、フロントパネルＦＰに合わせる（ＳＴ２）。次に、第１裏側ベルト３および第２裏側ベルト４をフロントパネルＦＰの裏面側に回す（ＳＴ３）。次に、フロントパネルＦＰの裏面側に回した第１裏側ベルト３と第２裏側ベルト４とを裏側締結具６で連結する（ＳＴ４）。次に、第１裏側ベルト３と裏側締結具６との位置関係を変更することによって、第１裏側ベルト３と第２裏側ベルト４との連結長さを調節する（ＳＴ５）。このとき、第１裏側ベルト３と第２裏側ベルト４との連結長さは、浮き止めをフロントパネルＦＰに寄せてみたときに、化粧カバー２がフロントパネルＦＰに対してぐらつかない長さに調節する。次に、浮き止め５を、粘着テープの保護膜を剥がしてからフロントパネルＦＰ裏面の任意の貼付領域Ｅ３に貼り付ける（ＳＴ６）。最後に、ガタ、干渉等の取り付け状態を確認しながらフロントパネルＦＰを閉じて取り付け作業を完了させる（ＳＴ７）。
【００３８】
このように構成されたルームエアコン化粧具１は、ルームエアコンＲＡのフロントパネルＦＰに取り付けて使用する。このルームエアコン化粧具１は、使用時に、フロントパネルＦＰの表面の大部分を覆うことが可能な表面に意匠が施された化粧カバー２を有する第１本体１Ａを備えている。これにより、このルームエアコン化粧具１は、化粧カバー２でルームエアコンＲＡの外観を変更可能である。また、このルームエアコン化粧具１は、平たく柔軟な素材で形成され、化粧カバー２の第１周縁部２２ａ，第２周縁部２２ｂからそれぞれ延びる少なくも一対の第１裏側ベルト３，第２裏側ベルト４を有する第２本体１Ｂを備えている。この一対の第１裏側ベルト３，第２裏側ベルト４は、平たく柔軟なため、通常のルームエアコンＲＡに見られるフロントパネルＦＰの上下方向の近傍におけるフロントパネル裏面側に繋がるわずかな隙間Ｇ１，Ｇ２を通り、フロントパネルＦＰの裏面側に回り込むことが可能である。そして、このルームエアコン化粧具１は、第１裏側ベルト３の裏面に接合されると共に使用時にフロントパネルＦＰの裏面に密着する浮き止め５を有している。これにより、このルームエアコン化粧具１は、第２本体１Ｂが浮き止め５によって浮かないようにしてフロントパネルＦＰの裏面に固定され、ルームエアコンＲＡに容易に取り付けられる。また、このルームエアコン化粧具１は、フロントパネルＦＰの表面に第１本体１Ａを貼り付けないため、フロントパネルＦＰの表面側に取り付け跡を残さない。したがって、本実施形態のように構成すれば、一般的なルームエアコンＲＡへの取り付けが容易であると共に取り外した際にルームエアコンＲＡの外観に取り付け跡を残しにくい、ルームエアコンＲＡの外観を変更するためのルームエアコン化粧具を提供できる。
【００３９】
また、このルームエアコン化粧具１は、浮き止め５が厚み方向に分離可能な面ファスナである。この浮き止め５の面ファスナは、分離した一方が第１裏側ベルト３に接合され、他方がルームエアコンＲＡのフロントパネルＦＰの裏面に貼り付けられる。これにより、このルームエアコン化粧具１は、面ファスナを分離させることでルームエアコンＲＡへの着脱が可能になる。したがって、本実施形態のように構成すれば、ルームエアコンＲＡへの着脱が容易なルームエアコン化粧具を提供できる。
【００４０】
また、このルームエアコン化粧具１は、第１裏側ベルト３と第２裏側ベルト４とを連結後の全長を変更可能に連結する裏側締結具６を有している。このルームエアコン化粧具１は、使用時に、裏面側に回された第１裏側ベルト３と第２裏側ベルト４とが長さ調節されて裏側締結具６で連結される。これにより、このルームエアコン化粧具１は、第１本体１Ａおよび第２本体１ＢでフロントパネルＦＰを上下方向に囲い締め付けられて、しっかり固定される。したがって、本実施形態のように構成すれば、ルームエアコンＲＡへ取り付けた際の落下の心配が少ないルームエアコン化粧具を提供できる。
【００４１】
なお、本実施形態のルームエアコン化粧具１は、第１本体１Ａと第２本体１Ｂとが固着で連結する構成であるが、第１本体１Ａと第２本体１Ｂとが分離可能に連結する構成でもよい。たとえば、図４に示すように、変形例のルームエアコン化粧具１Ｒは、化粧カバー２の第１周縁部２２ａ，第２周縁部２２ｂそれぞれに、第１連結部２３である上側ピン２３ａ，下側ピン２３ｂが形成されている。さらに、ルームエアコン化粧具１Ｒは、第１裏側ベルト３，第２裏側ベルト４の根本の端部分３３，４３のそれぞれに、第２連結部である孔３４，孔４４が形成されている。これにより、ルームエアコン化粧具１Ｒは、第１連結部（上側ピン２３ａ，下側ピン２３ｂ）と第２連結部（孔３４，孔４４）とが分離可能に連結することで第１本体１Ａと第２本体１Ｂとが分離可能に構成されている。このように、ルームエアコン化粧具は、意匠効果の高い第１本体１Ａを着脱可能なものであってもよい。
【００４２】
また、本実施形態のルームエアコン化粧具１は、化粧カバー２の表面２１に印刷によって意匠が施されているが、描画、削り、彫刻、貼り付け等、デザインに応じてその他の手法によって表面２１に意匠が施されていてもよい。
【００４３】
また、本実施形態のルームエアコン化粧具１は、化粧カバー２に関して上述以外の形態を採用することが可能である。たとえば、化粧カバー２は、金属、セラミック、厚紙等の樹脂以外の素材を採用してもよい。また、化粧カバー２は、布、ビニール等の素材を採用してシート状に構成してもよい。また、化粧カバー２は、裏面２２にリブ等の補強部分を有していてもよい。また、化粧カバー２は、裏面２２にクッション材やキズ防止剤が貼り付けられていてもよい。
【００４４】
また、本実施形態のルームエアコン化粧具１は、第１裏側ベルト３または第２裏側ベルト４に関して上述以外の形態を採用することが可能である。たとえば、第１裏側ベルト３および第２裏側ベルト４は、広い幅で１対形成され、化粧カバー２の横方向の中央部に固着されていてもよい。また、第１裏側ベルト３および第２裏側ベルト４は、３対以上形成されていてもよい。
【００４５】
また、本実施形態のルームエアコン化粧具１は、浮き止め５に関して上述以外の形態を採用することが可能である。たとえば、浮き止め５は、第２裏側ベルト４に接合されていても、複数形成されていてもよい。また、浮き止め５は、面ファスナ以外にたとえばボタン、マグネット、針金等で厚み方向に分離可能に構成されていてもよい。
【００４６】
また、本実施形態のルームエアコン化粧具１は、裏側締結具６に関して、連結後の全長を変更可能に第１裏側ベルト３と第２裏側ベルト４とを連結可能であれば、上述以外の形態を採用することが可能である。たとえば、裏側締結具６は、突起と孔を嵌合させるものであってもよい。また、裏側締結具６は、面ファスナであってもよい。また、裏側締結具６は、中央で雄型と雌型で分離可能な締結具であって、第１裏側ベルト３、第２裏側ベルト４がそれぞれの型に先端部分を折り返して長さ調整可能に固定されるものであってもよい。
【００４７】
＜第２実施形態＞
図５に示すルームエアコン化粧キット１００は、ルームエアコンＲＡのフロントパネルＦＰに取り付けられ（矢印Ｄ１参照）、ルームエアコンＲＡの外観イメージを変更させるキットである。ルームエアコン化粧キット１００は、ルームエアコンＲＡに直接取り付けられるルームエアコン化粧具１０１と、ルームエアコン化粧具１０１とは別体の取替化粧カバー９とを備えるものである。なお、本実施形態におけるルームエアコン化粧具１０１は、ルームエアコンＲＡの外観イメージを決定づける取替化粧カバー９が別体で簡単に取替可能な、いわゆる化粧カバー取替式タイプである。
【００４８】
取替化粧カバー９は、第１実施形態のルームエアコン化粧具１の化粧カバー２と同様の形態であり、形状、材質、および意匠等の説明を省略する。取替化粧カバー９は、この後に詳述するルームエアコン化粧具１０１に取替可能に装着される（矢印Ｄ２参照）。
【００４９】
ルームエアコン化粧具１０１は、使用時に、フロントパネルＦＰの表面側に配置される第１本体１０１Ａと、一部を除きフロントパネルＦＰの裏面側に配置される第２本体１０１Ｂとを備えている。
【００５０】
第１本体１０１Ａは、長尺な一対のフレーム７（第１フレーム７１，第２フレーム７２）と、一対のフレーム７の各フレーム間を接続するフレーム接続部８とからなる。
【００５１】
一対のフレーム７は、第１フレーム７１および第２フレーム７２で構成されており、プラスチック、金属といった形状が安定する素材で形成されている。
【００５２】
第１フレーム７１は、使用時の方向を用いて説明すると、板状で横方向に長く延びる第１底部７１ａと第１底部７１ａの表側の長尺な稜線部分から板状で垂直に下方へ突出する第１表側壁部７１ｂと第１底部７１ａの裏側の長尺な稜線部分から板状で垂直に下方へ突出する第１裏側壁部７１ｃとからなる。第１フレーム７１は、第１底部７１ａ、第１表側壁部７１ｂ、および第１裏側壁部７１ｃの内側の面によって、取替化粧カバー９の上側の縁９ａをスライド自在にはめ込み可能な第１の溝７１ｄが形成されている。また、第１フレーム７１は、第１裏側壁部７１ｃの外側の面が使用時にフロントパネルＦＰ表面の上側の稜線周辺領域Ｅ１に重なる第１周縁部となっている。
【００５３】
第２フレーム７２は、使用時の方向を用いて説明すると、板状で横方向に長く延びる第２底部７２ａと第２底部７２ａの表側の長尺な稜線部分から板状で垂直に上方へ突出する第２表側壁部７２ｂと第２底部７２ａの裏側の長尺な稜線部分から板状で垂直に上方へ突出する第２裏側壁部７２ｃとからなる。第２フレーム７２は、第２底部７２ａ、第２表側壁部７２ｂ、および第２裏側壁部７２ｃの内側の面によって、取替化粧カバー９の下側の縁９ｂをスライド自在にはめ込み可能な第２の溝７２ｄが形成されている。また、第２フレーム７２は、第２裏側壁部７２ｃの外側の面が使用時にフロントパネルＦＰ表面の下側の稜線周辺領域Ｅ２に重なる第２周縁部となっている。
【００５４】
フレーム接続部８は、一端部分が第１フレーム７１の第１裏側壁部７１ｃの外側の面（第１周縁部）に、他端部分が第２フレーム７２の第２裏側壁部７２ｃの外側の面（第２周縁部）に連結している。フレーム接続部８は、第１フレーム７１に連結する第１表側ベルト８１と、第２フレーム７２に連結する第２表側ベルト８２と、第２表側ベルト８２の端部に連結する表側締結具８３とを有している。
【００５５】
第１表側ベルト８１および第２表側ベルト８２は、ゴムシート，ビニールシート，布，革等の平たく柔軟な素材で形成されており、縦方向内側に向かって延びている。第１表側ベルト８１と第２表側ベルト８２とは、横方向の位置が同じであるものが対で、フレーム７の横方向の端部に近い左右２箇所に固着されている。
【００５６】
表側締結具８３は、第１実施形態の裏側締結具６と同様の形態をしているため形態の説明を省略する。表側締結具８３は、第１表側ベルト８１を先端部から通して、第１表側ベルト８１と第２表側ベルト８２とを連結している。また、表側締結具８３は、第１表側ベルト８１を通す量を変更することで、フレーム接続部８の全長を変更可能である（図６参照）。これにより、フレーム接続部８は、第１フレーム７１と第２フレーム７２との間の距離を変更可能に構成されている。
【００５７】
第２本体１０１Ｂは、第１実施形態のルームエアコン化粧具１の第２本体１Ｂと同様の形態であるため、説明を省略する。
【００５８】
続いて、図６を用いて、ルームエアコン化粧キット１００の使用時の状態を説明する。ルームエアコン化粧具１０１は、ルームエアコンＲＡのフロントパネルＦＰ表面の上側の稜線周辺領域Ｅ１に第１フレーム７１が、フロントパネルＦＰ表面の下側の稜線周辺領域Ｅ２に第２フレーム７２が重なるようにフレーム接続部８の全長が設定されている。ルームエアコン化粧具１０１は、第１本体１０１ＡがフロントパネルＦＰの表面に配置されて、第２本体１０１Ｂが第１実施形態のルームエアコン化粧具１の第２本体１Ｂと同様に取り付けられている。これにより、ルームエアコン化粧具１０１は、第１本体１０１Ａと第２本体１０１ＢとでフロントパネルＦＰを上下方向に取り囲む。また、ルームエアコン化粧具１０１は、第１実施形態と同様、浮き止め５がフロントパネルＦＰ裏面の任意の貼付領域Ｅ３に貼り付けられると共に第１裏側ベルト３と第２裏側ベルト４との連結長さが調整されてフロントパネルＦＰを締め付けるように固定されているため、ガタつきなく取り付けられている。ルームエアコン化粧キット１００は、このようにルームエアコン化粧具１０１が取り付けられている状態で、フロントパネルＦＰのサイズに対応する取替化粧カバー９が第１フレーム７１の第１の溝７１ｄおよび第２フレーム７２の第２の溝７２ｄにはまり込んでいる。つまり、ルームエアコン化粧キット１００は、一対のフレーム７で上下方向から着脱自在に支持された取替化粧カバー９がフロントパネルＦＰを覆っている状態になっている。
【００５９】
続いて、図７を用いて、ルームエアコン化粧キット１００のルームエアコンＲＡへの取り付け作業について説明する。ルームエアコン化粧キット１００をルームエアコンＲＡに取り付けるためには、まず、第１表側ベルト８１と表側締結具８３との位置関係を変更することによって、第１表側ベルト８１と第２表側ベルト８２との連結長さを調節する（ＳＴ１０１）。このとき、フロントパネルＦＰのサイズに対応する取替化粧カバー９が縦方向に支持可能かつ横方向にスライド可能になるように、第１フレーム７１と第２フレーム７２との距離を調整する。次に、フロントパネルＦＰを開く（ＳＴ１０２）。次に、一対のフレーム７を、第１フレーム７１，第２フレーム７２がフロントパネルＦＰの稜線周辺領域Ｅ１，下側の稜線周辺領域Ｅ２に重なるようにして、フロントパネルＦＰに合わせる（ＳＴ１０３）。次に、第１裏側ベルト３および第２裏側ベルト４をフロントパネルＦＰの裏面側に回す（ＳＴ１０４）。次に、フロントパネルＦＰの裏面側に回した第１裏側ベルト３と第２裏側ベルト４とを裏側締結具６で連結する（ＳＴ１０５）。次に、第１裏側ベルト３と裏側締結具６との位置関係を変更することによって、第１裏側ベルト３と第２裏側ベルト４との連結長さを調節する（ＳＴ１０６）。このとき、第１裏側ベルト３と第２裏側ベルト４との連結長さは、浮き止めをフロントパネルＦＰに寄せてみたときに、第１本体１０１ＡがフロントパネルＦＰに対してぐらつかない長さに調節する。次に、浮き止め５を、粘着テープの保護膜を剥がしてからフロントパネルＦＰ裏面の任意の貼付領域Ｅ３に貼り付ける（ＳＴ１０７）。次に、ガタ、干渉等の取り付け状態を確認しながらフロントパネルＦＰを閉じる（ＳＴ１０８）。最後に、取替化粧カバー９の縦方向の両縁９ａ，９ｂを第１フレーム７１の第１の溝７１ｄ，第２フレームの第２の溝７２ｄに横方向からスライドさせてはめ込むようにして（図５参照）、取り付け作業を完了させる（ＳＴ１０９）。なお、ルームエアコンＲＡのデザインをさらに変更したい場合には、ＳＴ１０９と逆の作業を行って取り付けられている取替化粧カバー９を取り外してから、ＳＴ１０９の作業を行って別の取替化粧カバーを取り付ければよい。
【００６０】
このように構成されたルームエアコン化粧具１０１は、フロントパネルＦＰに取り付けた場合に、フロントパネルＦＰの表面の大部分を覆うことが可能なサイズの面に意匠が施された別体の取替化粧カバー９を着脱自在に支持可能な一対のフレーム７を有する第１本体１０１Ａを備えている。これにより、このルームエアコン化粧具１０１は、取替化粧カバー９でルームエアコンＲＡの外観を変更可能である。また、ルームエアコン化粧具１０１は、第１実施形態のルームエアコン化粧具１の第２本体１Ｂと同様の第２本体１０１Ｂを備えており、第１実施形態のルームエアコン化粧具１と同様の効果を有する。したがって、本実施形態のように構成すれば、一般的なルームエアコンＲＡへの取り付けが容易であると共に取り外した際にルームエアコンＲＡの外観に取り付け跡を残しにくい、ルームエアコンＲＡの外観を変更するためのルームエアコン化粧具を提供できる。
【００６１】
また、このルームエアコン化粧具１０１は、第１本体１０１Ａが一対のフレーム７で別体の取替化粧カバー９を支持する化粧カバー取替式タイプである。このルームエアコン化粧具１０１の第１本体１０１Ａは、第１フレーム７１の第１の溝７１ｄおよび第２フレーム７２の第２の溝７２ｄにスライド自在にはめ込むことで、取替化粧カバー９を支持可能に構成されている。これにより、このルームエアコン化粧具１０１は、取替化粧カバー９を着脱しやすい。したがって、本実施形態のように構成すれば、取替化粧カバーの取替が容易な化粧カバー取替式タイプのルームエアコン化粧具を提供できる。
【００６２】
また、このルームエアコン化粧具１０１は、フレーム接続部８が第１フレーム７１と第２フレーム７２との間の距離を変更可能であるため、さまざまなサイズの取替化粧カバー９に対応可能である。したがって、本実施形態のように構成すれば、多種のルームエアコンに対応可能な化粧カバー取替式タイプのルームエアコン化粧具を提供できる。
【００６３】
また、このルームエアコン化粧具１０１は、第１表側ベルト８１と第２表側ベルト８２とを表側締結具８３で長さ調整可能に連結させてフレーム接続部８を構成している。第１表側ベルト８１および第２表側ベルト８２は平たく柔軟な素材で形成されているため、このルームエアコン化粧具１０１は、ルームエアコンＲＡに取り付けていないときにたたむことが可能である。したがって、本実施形態のように構成すれば、多種のルームエアコンに対応可能であると共に、持ち運びや収納に優れる化粧カバー取替式タイプのルームエアコン化粧具を提供できる。
【００６４】
また、このように構成されたルームエアコン化粧キット１００は、化粧カバー取替式タイプのルームエアコン化粧具１０１と取替化粧カバー９とがセットになったキットである。したがって、本実施形態のように構成すれば、化粧カバー取替式タイプで取替化粧カバーの交換が可能であって、別途取替化粧カバーを準備しなくても、既に設置されたルームエアコンの外観を変更可能なルームエアコン化粧キットを提供できる。
【００６５】
なお、本実施形態のルームエアコン化粧具１０１は、表側締結具８３に関して、連結後の全長を変更可能に第１表側ベルト８１と第２表側ベルト８２とを連結可能であれば、上述以外の形態を採用することが可能である。たとえば、表側締結具８３は、突起と孔を嵌合させるものであってもよい。また、表側締結具８３は、面ファスナであってもよい。また、表側締結具８３は、中央で雄型と雌型で分離可能な締結具であって、第１表側ベルト８１、第２表側ベルト８２がそれぞれの型に先端部分を折り返して長さ調整可能に固定されるものであってもよい。
【００６６】
また、本実施形態のフレーム接続部８は、主に柔軟な素材で形成されているが、第１フレーム７１と第２フレーム７２との間の距離が変更可能であれば、剛性の素材で形成されていてもよい。たとえば、図８（ａ）に示すように、変形例のルームエアコン化粧具２０１のフレーム接続部２０８は、第１表側ベルト８１，第２表側ベルト８２に相当する部分が、それぞれ、プラスチック製または金属製の薄板状の第１スライドプレート２８１，第２スライドプレート２８２となっている。また、このフレーム接続部２０８は、第１スライドプレート２８１の先端部にスライドガイド２８３が固定されている。スライドガイド２８３は、第１スライドプレート２８１と重ね合わせるよう第２スライドプレート２８２が差し込まれ、この第２スライドプレート２８２をスライド自在（矢印Ｄ３参照）に連結している。これにより、フレーム接続部２０８は、第１スライドプレート２８１に対して第２スライドプレート２８２を直線移動させて重ね合わせ量を変更することで、第１フレーム７１と第２フレーム７２との距離を変更する。
【００６７】
また、たとえば、図８（ｂ）に示すように、変形例のルームエアコン化粧具３０１のフレーム接続部３０８は、プラスチックまたは金属製である。使用時の方向を用いて説明すると、フレーム接続部３０８は、第１フレーム７１に固定され、横方向に延びると共に第１フレーム７１の下側に突出する板状の第１ベースプレート３８１を有している。また、フレーム接続部３０８は、第２フレーム７２に固定され、横方向に延びると共に第２フレーム７２の上側に突出する板状の第２ベースプレート３８２を有している。第１ベースプレート３８１，第２ベースプレート３８２は、それぞれ、横方向に長い長孔３８１ａ，３８２ａが左右２か所に形成されている。さらにフレーム接続部３０８は、薄板状で細長い一対の回転プレートが重なり合うクロスプレート３８３を有している。クロスプレート３８３は、中央で円柱状の中心軸３８３ａによって、それぞれの回転プレートが互いに回転自在（矢印Ｄ４参照）に連結している。また、クロスプレート３８３は、円柱状のピン３８３ｂによって、それぞれの回転プレートの一方の端部が第１ベースプレート３８１の長孔３８１ａにスライド自在（矢印Ｄ４参照）に連結している。また、クロスプレート３８３は、円柱状のピン３８３ｂによって、それぞれの回転プレートの他方の端部が第２ベースプレート３８２の長孔３８２ａにスライド自在（矢印Ｄ５参照）に連結している。これにより、フレーム接続部３０８は、クロスプレート３８３のそれぞれの回転プレートを回転移動させて重ね合わせ角度を変更することで縦方向の幅が変わり（矢印Ｄ６参照）、第１フレーム７１と第２フレーム７２との距離を変更する。
【００６８】
ルームエアコン化粧具２０１，３０１は、少なくとも一対の剛性板状のプレートで、第１フレーム７１と第２フレーム７２と間の距離を変更可能なフレーム接続部２０８，３０８を構成している。これにより、ルームエアコン化粧具２０１，３０１は、ルームエアコンＲＡに取り付ける前に第１フレーム７１に対して第２フレーム７２の位置がしっかり定まる。このため、ルームエアコン化粧具２０１，３０１は、ルームエアコンに取り付ける際の第１本体２０１Ａ，３０１Ａの位置決めがしやすい。したがって、ルームエアコン化粧具２０１，３０１のように構成すれば、多種のルームエアコンに対応可能であると共に、ルームエアコンに取り付けやすい化粧カバー取替式タイプのルームエアコン化粧具を提供できる。
【符号の説明】
【００６９】
１，１０１，２０１，３０１‥ルームエアコン化粧具
１Ａ，１０１Ａ，２０１Ａ，３０１Ａ‥第１本体
１Ｂ，１０１Ｂ，２０１Ｂ，３０１Ｂ‥第２本体
２‥化粧カバー
３‥第１裏側ベルト
４‥第２裏側ベルト
５‥浮き止め
６‥裏側締結具
７‥一対のフレーム
８，２０８，３０８‥フレーム接続部
９‥取替化粧カバー
２２ａ‥第１周縁部、２２ｂ‥第２周縁部
２３‥第１連結部
３４‥第２連結部
４４‥第２連結部
７１‥第１フレーム
７１ｃ‥第１裏側壁部（第１周縁部）、７１ｄ‥たいら
７２‥第２フレーム
７２ｃ‥第２裏側壁部（第２周縁部）、７２ｄ‥第２の溝
８１‥第１表側ベルト
８２‥第２表側ベルト
８３‥表側締結具
１００‥ルームエアコン化粧キット
Ｅ１‥上側の稜線周辺領域
Ｅ２‥下側の稜線周辺領域
ＦＰ‥フロントパネル
ＲＡ‥ルームエアコン
【図１】
0003214328.tif 000003
【図２】
0003214328.tif 000004
【図３】
0003214328.tif 000005
【図４】
0003214328.tif 000006
【図５】
0003214328.tif 000007
【図６】
0003214328.tif 000008
【図７】
0003214328.tif 000009
【図８】
0003214328.tif 000010
【図９】
0003214328.tif 000011